(57)【要約】【課題】  Ｃ．Ｉ．ダイレクトイエロー１３２を使用したインクジェット記録用水性インクにおいて、インクの水分蒸発時や低温時にも良好な長期保存安定性を実現する。【解決手段】  インクジェット記録用水性インクは、（ａ）Ｃ．Ｉ．ダイレクトイエロー１３２  ０．１重量％〜４．０重量％；（ｂ）融点が−４５℃以下のグリコールエーテル  ０．５重量％以上；及び（ｃ）２０℃におけるＣ．Ｉ．ダイレクトイエロー１３２の溶解度が５％以上である水溶性有機溶剤を含有する。このインクジェット記録用水性インクは、０．２≦[Ｂ／Ａ]と３≦[Ｃ／Ａ]という条件を満たしている。ここで、Ａはインク中に含まれている成分（ａ）の組成重量、Ｂは成分（ｂ）の組成重量、Ｃは成分（ｃ）の組成重量をそれぞれ表す。【選択図】  なし【特許請求の範囲】
【請求項１】
以下の成分（ａ）〜（ｃ）：
（ａ）Ｃ．Ｉ．ダイレクトイエロー１３２  ０．１重量％〜４．０重量％；
（ｂ）融点が−４５℃以下のグリコールエーテル  ０．５重量％以上；  及び
（ｃ）２０℃におけるＣ．Ｉ．ダイレクトイエロー１３２の溶解度が５％以上である水溶性有機溶剤
を含有するインクジェット記録用水性インクであって、以下の(I)及び(II)
【数１】
2006028490.tif 000010
(式中、Ａはインク中に含まれている成分（ａ）の組成重量、Ｂは成分（ｂ）の組成重量、Ｃは成分（ｃ）の組成重量をそれぞれ表す。)
を満たすことを特徴とするインクジェット記録用水性インク。
【請求項２】
成分（ｂ）のグリコールエーテルの含有量がインク全量に対して１０重量％以下であり、成分（ｃ）の水溶性有機溶剤の含有量がインク全量に対して４０重量％以下である請求項１記載のインクジェット記録用水性インク。
【請求項３】
成分（ｃ）の水溶性有機溶剤に対するＣ．Ｉ．ダイレクトイエロー１３２の溶解度が、−２０℃においても５％以上である請求項１又は２記載のインクジェット記録用水性インク。
【請求項４】
２〜５ｍＰａ・ｓの粘度を有する請求項１〜３のいずれかに記載のインクジェット記録用水性インク。
【請求項５】
更に、界面活性剤をインク全量に対して０．０１〜５重量％で含有する請求項１〜４のいずれかに記載のインクジェット記録用水性インク。
【請求項６】
界面活性剤が、式（１）
【化１】
2006028490.tif 000011
（式（１）中、ｘは１２又は１３である。）
の界面活性剤を含有する請求項５記載のインクジェット記録用水性インク。
【請求項７】
成分（ｂ）のグリコールエーテルが、トリエチレングリコールブチルエーテル、ジプロピレングリコールプロピルエーテル及びジエチレングリコールブチルエーテルからなる群より選択される少なくとも一種のグリコールエーテルである請求項１〜６のいずれかに記載のインクジェット記録用水性インク。
【請求項８】
成分（ｃ）の水溶性有機溶剤が、ジエチレングリコール、トリエチレングリコール、重量平均分子量１９０〜２１０のポリエチレングリコール、Ｎ−メチル−２−ピロリドンからなる群より選択される少なくとも一種の水溶性有機溶剤である請求項１〜７のいずれかに記載のインクジェット記録用水性インク。
【請求項９】
更に、成分（ａ）のＣ．Ｉ．ダイレクトイエロー１３２以外の染料を含有する請求項１〜８のいずれかに記載のインクジェット記録用水性インク。
【請求項１０】
更に、水及びグリセリンを含有する請求項１〜９のいずれかに記載のインクジェット記録用水性インク。
【発明の詳細な説明】
【技術分野】
【０００１】
本発明は、インクジェット記録用水性インクに関する。
【背景技術】
【０００２】
インクジェット記録方式には、静電吸引方式、圧電素子等を用いてインクに機械的振動または変位を与える方式、インクを加熱させることにより気泡を発生させ、その時の圧力を利用する方式等の吐出方式があり、いずれもインク小滴を形成し、それを紙等の被記録材に付着させて記録を行うものである。
【０００３】
このようなインクジェット記録方式に使用するインクとしては、各種の染料または顔料を、水又は水と水溶性有機溶剤からなる液媒体に溶解または分散させた水性インクが使用されている。
【０００４】
インクジェット記録方式において、長期間にわたって良好な記録画像を得るためには、(1)インクの特性値（粘度、表面張力、密度等）が適当な値であること、(2)記録装置のノズルやオリフィスでの目詰まりを防止し、吐出安定性を得るため、熱等によりインクに析出物が生じたり、インクの物性値が変化したりしないこと、(3)記録画像が耐水性、耐光性等に優れていること、などの要請があり、さらに(4)インクの滲みのない良好な印字品質を、インクジェット専用紙を用いることなく普通紙で達成する為、インクジェットプリンタの記録ヘッドのノズル径を狭め、吐出させるインク液滴を小さくすることが要請されている。
【０００５】
しかしながら、記録ヘッドのノズル径を小さくすると、インクジェットプリンタにインクカートリッジを装着したまま長期間放置した後、再度使用する際に、ヘッドノズルやヘッド内部の狭いインク流路中に異物が混入あるいは発生し、インクがスムーズに通過することができず、吐出不能が生じる。特に、イエロー色のインク着色剤として、発色性及び色の鮮やかさに優れているＣ．Ｉ．ダイレクトイエロー１３２を使用した場合にはこの問題が生じやすい。
【０００６】
この問題に関し、Ｃ．Ｉ．ダイレクトイエロー１３２を使用するインクジェット記録用イエローインクに対し、ジエチレングリコール等の保湿剤の添加量を増大させることにより水分蒸発時や低温時での染料析出を防止したり、更にベンゾトリアゾールを使用することによりインク物性の変化を抑制することが提案されている（特許文献１）。
【０００７】
【特許文献１】特許３０８９６６５号公報
【発明の開示】
【発明が解決しようとする課題】
【０００８】
しかしながら、従来のインクジェット記録用水性インクにおいて、染料析出を防止するために湿潤剤の添加量を増加する方法では、インクの粘性が増し、最適な粘性が得られない。また、高温・乾燥時には、特にインクヘッドのノズル周囲が乾燥し易く、ノズル周囲に付着したインクから染料が析出すると、除去することが容易ではないという問題がある。特に、温暖な地域ではこの問題は深刻なものとなっている。最近のインクジェットプリンタにはヘッド面を払拭するワイパーを備えているが、染料が析出していったん固化してしまうと、ワイパーでは除去することはできない。また、インクカートリッジの輸送や保管の際に、カートリッジが低温環境下に置かれる場合があり、そのような場合にはインク中から染料が析出する可能性がある。従来の技術では、このような水分蒸発後の染料析出という問題と低温時の染料析出という問題とを同時に解決することは困難である。即ち、水分蒸発後の染料析出は防止できても、低温時の染料析出を防止することは困難である。あるいは逆に低温時の染料析出は改善できても、蒸発後の染料析出を防止することは困難である。このような二つの問題を同時に解決した、Ｃ．Ｉ．ダクレクトイエロー１３２を用いたインクジェット記録用水性インクは、本発明者が知る限りにおいて存在していない。
【０００９】
本発明は、上述した問題点を解決するためになされたものであり、Ｃ．Ｉ．ダイレクトイエロー１３２を使用したインクジェット記録用水性インクにおいて、インクの水分蒸発時や低温時にもインクから染料等が析出せず、長期保存安定性を得られるようにすることを目的としている。
【課題を解決するための手段】
【００１０】
本発明者らは、Ｃ．Ｉ．ダイレクトイエロー１３２を使用したインクジェット記録用水性インクにおいて、特定の水溶性有機溶剤と特定のグリコールエーテルとを使用し、かつそれぞれをＣ．Ｉ．ダイレクトイエロー１３２に対して特定の重量比で使用することにより、上述の目的を達成できることを見出した。
【００１１】
以下の成分（ａ）〜（ｃ）：
（ａ）Ｃ．Ｉ．ダイレクトイエロー１３２  ０．１重量％〜４．０重量％；
（ｂ）融点が−４５℃以下のグリコールエーテル  ０．５重量％以上；  及び
（ｃ）２０℃におけるＣ．Ｉ．ダイレクトイエロー１３２の溶解度が５％以上である水溶性有機溶剤
を含有するインクジェット記録用水性インクであって、以下の(I)及び(II)
【００１２】
【数１】
2006028490.tif 000002
【００１３】
(式中、Ａはインク中に含まれている成分（ａ）の組成重量、Ｂは成分（ｂ）の組成重量、Ｃは成分（ｃ）の組成重量をそれぞれ表す。従って、[Ｂ／Ａ]はインク中に含まれる成分（ａ）に対する成分（ｂ）の重量比を表し、[Ｃ／Ａ]はインク中に含まれる成分（ａ）に対する成分（ｃ）の重量比を表す。)
を満たすことを特徴とするインクジェット記録用水性インクを提供する。
【発明の効果】
【００１４】
本発明のインクジェット記録用水性インクにおいては、Ｃ．Ｉ．ダイレクトイエロー１３２に対し、所定の割合で、融点が−４５℃以下のグリコールエーテルを含有しているので、インクの融点を降下させ、Ｃ．Ｉ．ダイレクトイエロー１３２の低温析出を防止することができる。
【００１５】
さらに、Ｃ．Ｉ．ダイレクトイエロー１３２に対し、２０℃におけるＣ．Ｉ．ダイレクトイエロー１３２の溶解度が５％以上である水溶性有機溶剤を含有するので、水分蒸発時の染料析出を防止することができる。
【００１６】
従って、本発明によれば、インクジェット記録用水性インクの着色剤として、インクジェット記録画像における色再現性及び発色性に優れたＣ．Ｉ．ダイレクトイエロー１３２を、インクジェットプリンタが使用される環境やその変化にかかわらず使用することが可能となる。
【発明を実施するための最良の形態】
【００１７】
以下、本発明を詳細に説明する。
【００１８】
本発明のインクジェット記録用水性インクは、着色剤としてＣ．Ｉ．ダイレクトイエロー１３２を使用する。
【００１９】
本発明において、Ｃ．Ｉ．ダイレクトイエロー１３２は着色剤として単独で使用してもよく、それ以外の着色剤と混合して使用してもよい。
【００２０】
Ｃ．Ｉ．ダイレクトイエロー１３２と混合使用する染料としては、直接染料、酸性染料、塩基性染料、反応性染料等に代表される水溶性染料が用いられ、特に鮮明性、水溶性、安定性、耐光性等のインク特性の点から、例えば、イエロー染料としては、Ｃ．Ｉ．ダイレクトイエロー１２、２４、２６、４４、８６、９８、１４２；Ｃ．Ｉ．アシッドイエロー１１、１７、２３、２５、２９、４２、６１、７１等が挙げられ、これらは複数種を混合して使用してもよい。
【００２１】
また、イエロー以外の染料としては、例えば、Ｃ．Ｉ．ダイレクトブラック１７、１９、３２、５１、７１、１０８、１４６、１５４、１６８；Ｃ．Ｉ．ダイレクトブルー６、２２、２５、７１、８６、９０、１０６、１９９；Ｃ．Ｉ．ダイレクトレッド１、４、１７、２８、８３、２２７；Ｃ．Ｉ．ダイレクトオレンジ３４、３９、４４、４６、６０；Ｃ．Ｉ．ダイレクトバイオレット４７、４８；Ｃ．Ｉ．ダイレクトブラウン１０９；Ｃ．Ｉ．ダイレクトグリーン５９；Ｃ．Ｉ．アシッドブラック２、７、２４、２６、３１、５２、６３、１１２、１１８；Ｃ．Ｉ．アシッドブルー９、２２、４０、５９、９３、１０２、１０４、１１３、１１７、１２０、１６７、２２９、２３４；Ｃ．Ｉ．アシッドレッド１、６、３２、３７、５１、５２、８０、８５、８７、９２、９４、１１５、１８１、２５６、２８９、３１５、３１７；Ｃ．Ｉ．アシッドオレンジ７、１９；Ｃ．Ｉ．アシッドバイオレット４９；Ｃ．Ｉ．ベーシックブラック２；Ｃ．Ｉ．ベーシックブルー１、３、５、７、９、２４、２５、２６、２８、２９；Ｃ．Ｉ．ベーシックレッド１、２、９、１２、１３、１４、３７；Ｃ．Ｉ．ベーシックバイオレット７、１４、２７；Ｃ．Ｉ．フードブラック１、２等が挙げられ、これらは複数種を混合して使用してもよい。
【００２２】
本発明のインクジェット記録用水性インクの染料含有量に関し、適度な画像濃度を得ると共に析出防止の点から、Ｃ．Ｉ．ダイレクトイエロー１３２はインク全量に対し０．１〜４重量％とする。また、Ｃ．Ｉ．ダイレクトイエロー１３２と他の着色剤の総量としては、インク全量に対し０．１〜２０重量％が好ましい。
【００２３】
本発明のインクジェット記録用水性インクは水を含有する。この水としては、イオン交換水、蒸留水等の純度の高いものを使用することが好ましい。
【００２４】
インク中の水の含有量は、インク全量に対して一般に１０〜９８重量％が好ましく、より好ましくは３０〜９７重量％、さらに好ましくは４０〜９５重量％である。
【００２５】
本発明のインクジェット記録用水性インクは、水性媒体として、水以外に、融点が−４５℃以下のグリコールエーテル（成分（ｂ））と、２０℃におけるＣ．Ｉ．ダイレクトイエロー１３２の溶解度が５％以上である水溶性有機溶剤（成分（ｃ））とを含有する。
【００２６】
融点が−４５℃以下のグリコールエーテル（成分（ｂ））は、グリコールエーテル単独での融点が−４５℃以下と非常に低温である為、インク中に添加することによって、インクの融点を降下させ、インク中の染料Ｃ．Ｉ．ダイレクトイエロー１３２の低温析出を防止する効果がある。
【００２７】
融点が−４５℃以下のグリコールエーテル（成分（ｂ））に対するＣ．Ｉ．ダイレクトイエロー１３２の溶解度は高いほうが好ましい。
【００２８】
融点が−４５℃以下のグリコールエーテル（成分（ｂ））の例としては、エチレングリコールメチルエーテル、ジエチレングリコールメチルエーテル、ポリエチレングリコールメチルエーテル、エチレングリコールイソプロピルエーテル、エチレングリコールブチルエーテル、ジエチレングリコールブチルエーテル、トリエチレングリコールブチルエーテル、エチレングリコールイソブチルエーテル、ジエチレングリコールイソブチルエーテル、エチレングリコールヘキシルエーテル、エチレングリコール−２−エチルヘキシルエーテル、ジエチレングリコール−２−エチルヘキシルエーテル、エチレングリコールアリルエーテル、エチレングリコールベンジルエーテル、ジエチレングリコールベンジルエーテル、プロピレングリコールメチルエーテル、ジプロピレングリコールメチルエーテル、トリプロピレングリコールメチルエーテル、プロピレングリコールプロピルエーテル、ジプロピレングリコールプロピルエーテル、プロピレングリコールブチルエーテル、ジプロピレングリコールブチルエーテル、トリプロピレングリコールブチルエーテル、エチレングリコールジメチルエーテル、ジエチレングリコールジメチルエーテル、トリエチレングリコールジメチルエーテル、ジエチレングリコールジブチルエーテル、ジプロピレングリコールジメチルエーテル等を挙げることができる。これらは、単独又は複数種を混合して使用することができる。中でも、トリエチレングリコールブチルエーテル、ジプロピレングリコールプロピルエーテル及びジエチレングリコールブチルエーテルからなる群より選択される少なくとも一種を好ましく使用することができる。
【００２９】
融点が−４５℃以下のグリコールエーテル（成分（ｂ））の含有量は、インク全量に対して０．５重量％以上、かつ、次式（I）
【００３０】
【数２】
2006028490.tif 000003
【００３１】
(式中、Ａはインク中に含まれている成分（ａ）の組成重量、Ｂは成分（ｂ）の組成重量をそれぞれ表す。)
を満たす量とする。成分（ｂ）のグリコールエーテルの含有量が０．５重量％未満であったり、[Ｂ／Ａ]が０．２未満であると、インクの融点を十分に降下させることができず、Ｃ．Ｉ．ダイレクトイエロー１３２の低温析出を十分に防止することができない。インクの融点をより確実に降下させる点からは、[Ｂ／Ａ]は０．３以上とすることが好ましい。成分（ｂ）のグリコールエーテルの含有量の上限については、１０重量％以下にすることが、ブリードを抑制する点から好ましい。また、[Ｂ／Ａ]を５以下とすることによっても、本発明のインクと黒インクとのブリードを抑えることができる。
【００３２】
本発明で用いる成分（ｃ）の水溶性有機溶剤は、Ｃ．Ｉ．ダイレクトイエロー１３２を２０℃において十分に溶解することができるものであり、具体的には、Ｃ．Ｉ．ダイレクトイエロー１３２の溶解度が５％以上である水溶性有機溶剤である。このような水溶性有機溶剤は、Ｃ．Ｉ．ダイレクトイエロー１３２の溶解度が高い為、これをインク中に含有させることによって、インク中の水分が蒸発した場合のＣ．Ｉ．ダイレクトイエロー１３２の析出を防止する効果がある。
【００３３】
成分（ｃ）の水溶性有機溶剤としては、−２０℃においても５％以上の溶解度を示すものが、Ｃ．Ｉ．ダイレクトイエロー１３２の低温析出の防止の点から望ましい。
【００３４】
２０℃におけるＣ．Ｉ．ダイレクトイエロー１３２の溶解度が５％以上である水溶性有機溶剤としては、２−ピロリドン、重量平均分子量３８０〜４２０のポリエチレングリコール等を挙げることができる。さらに、２０℃におけるＣ．Ｉ．ダイレクトイエロー１３２の溶解度が５％以上であって、−２０℃においても５％以上の溶解度を示す水溶性有機溶剤としては、ジエチレングリコール、トリエチレングリコール、重量平均分子量１９０〜２１０のポリエチレングリコール、プロピレングリコール、ジプロピレングリコール、トリプロピレングリコール、１，２，６−ヘキサントリオール、Ｎ−メチル−２−ピロリドン、トリエタノールアミン等を挙げることができる。これらは、単独又は複数種を混合して使用することができる。中でも、ジエチレングリコール、トリエチレングリコール、重量平均分子量１９０〜２１０のポリエチレングリコール、Ｎ−メチル−２−ピロリドンからなる群より選択される少なくとも一種を使用することが好ましい。
【００３５】
なお、Ｃ．Ｉ．ダイレクトイエロー１３２の成分（ｃ）の水溶性有機溶剤に対する溶解度は、各溶剤にＣ．Ｉ．ダイレクトイエロー１３２を攪拌等により溶解させる試験を行い、決定することができる。
【００３６】
成分（ｃ）の、２０℃におけるＣ．Ｉ．ダイレクトイエロー１３２の溶解度が５％以上である水溶性有機溶剤の含有量は、インク全量に対して次式（II）
【００３７】
【数３】
2006028490.tif 000004
【００３８】
(式中、Ａはインク中に含まれている成分（ａ）の組成重量、Ｃは成分（ｃ）の組成重量をそれぞれ表す。)
を満たす量である。[Ｃ／Ａ]が３未満であると、水分蒸発時にＣ．Ｉ．ダイレクトイエロー１３２の充分な溶解性を保つことができずに、析出するおそれがある。Ｃ．Ｉ．ダイレクトイエロー１３２の析出を確実に抑える点からは、[Ｃ／Ａ]は４以上とすることが好ましい。インク中の成分（ｃ）の水溶性有機溶剤の含有量の上限については、ブリードを抑制する点から４０重量％以下とすることが好ましい。また、[Ｃ／Ａ]を６０以下、さらに好ましくは５５以下とすることにより、本発明のインクと黒インクとのブリードを抑えることができる。
【００３９】
本発明のインクジェット記録用水性インクには、上述の融点が−４５℃以下のグリコールエーテル（成分（ｂ））、及び２０℃におけるＣ．Ｉ．ダイレクトイエロー１３２の溶解度が５％以上である水溶性有機溶剤（成分（ｃ））の他、必要に応じて他の水性溶媒を使用しても良い。
【００４０】
また、本発明のインクジェット記録用水性インクには、インクの初期導入性を向上させるため、即ち、インクジェットプリンタのヘッド内部の狭いインク流路中にインクをスムーズに導入できるように、界面活性剤を添加することが好ましい。
【００４１】
界面活性剤としては、従来のインクジェット記録用水性インクに用いられているものを使用することができる。好ましい例としては、アルキルエーテル硫酸エステル塩等が挙げられる。中でも特に好ましい例としては、次式（１）
【００４２】
【化１】
2006028490.tif 000005
【００４３】
（式（１）中、ｘは１２又は１３である。）
で表される化合物が挙げられる。この式（１）の化合物は、商業的に入手可能であり、例えば、花王株式会社より商品名エマール２０Ｃ、三洋化成株式会社より商品名サンデットＥＮＤ、ライオン株式会社よりサンノールＤＬ１４３０として販売されている。
【００４４】
式（１）の界面活性剤の添加により、インクジェットプリンタのヘッドに対するインクの濡れ性をより高めることができる。従って、インクジェットプリンタのヘッド内にインクが導入される際に、異物が混入または発生した場合でも、異物をヘッド内に留めることなく、素早くヘッド外に出すことができ、目詰まりの原因を排除することが容易となる。
【００４５】
本発明のインクジェット記録用水性インクにおいて界面活性剤を配合する場合、その配合量を、インク全量に対して０．０１〜５重量％とすることが好ましく、０．０１〜２重量％とすることがより好ましい。０．０１重量％未満であると、インクジェットプリンタのヘッドに対するインクの濡れ性を充分に向上させることができず、インクの初期導入性の向上効果が得にくい。また、５重量％を超えるとインクがインクジェットプリンタのヘッドのノズル周りを不均一に濡らし、インクの安定吐出が困難となる。
【００４６】
この他、本発明のインクジェット記録用水性インクには、必要に応じて粘度調整剤を添加することができる。粘度調整剤としては、グリセリン等を使用することができる。粘度調整剤の含有量は、例えば、グリセリンの場合、インクの全重量に対して５〜３０重量％とすることが好ましい。これにより、インクジェットプリンタの吐出機構に応じて、インクの粘度を容易に２〜５ｍＰａ・ｓ（２０℃）に調整することができる。なお、この粘度は、二重円筒型回転粘度計を使用し、２０℃、６０ｒｐｍの条件で測定される値である。
【００４７】
本発明のインクジェット記録用水性インクには、さらに従来公知の添加剤、例えば、各種分散剤、表面張力調整剤、ｐＨ調整剤、防腐防カビ剤等を必要に応じて添加することができる。
【実施例】
【００４８】
以下、本発明を実施例により具体的に説明する。
【００４９】
実施例１〜９、比較例１〜７
表１、表２の組成のインクを調製した。なお、表中の数値は重量％を表す。また、（ｂ）は融点が−４５℃以下のグリコールエーテル、（ｃ）は２０℃におけるＣ．Ｉ．ダイレクトイエロー１３２の溶解度が５％以上である水溶性有機溶剤を表し、[Ｂ／Ａ]は融点が−４５℃以下のグリコールエーテルの組成重量（Ｂ）とＣ．Ｉ．ダイレクトイエロー１３２の組成重量（Ａ）との重量比、[Ｃ／Ａ]は２０℃におけるＣ．Ｉ．ダイレクトイエロー１３２の溶解度が５％以上である水溶性有機溶剤の組成重量（Ｃ）とＣ．Ｉ．ダイレクトイエロー１３２の組成重量（Ａ）との重量比を表す。
【００５０】
また、界面活性剤としては、式（１）においてｘ＝１２の界面活性剤とｘ＝１３の界面活性剤との混合物を使用した。
【００５１】
実施例及び比較例で用いた成分（ｃ）の水溶性有機溶剤に対する成分（ａ）のＣ．Ｉ．ダイレクトイエロー１３２の溶解度は、以下の通りである。ジエチレングリコール、２０％以上；トリエチレングリコール、５％以上；ポリエチレングリコール＃２００（商品名（重量平均分子量１９０〜２１０）、ライオン株式会社）、１０％以上；Ｎ−メチル−２−ピロリドン、５％以上；及びグリセリン、約０．５％。
【００５２】
比較例５では式（２）
【００５３】
【化２】
2006028490.tif 000006
【００５４】
（式（２）中、ＲはＣ１４〜Ｃ１５のアルキル基である。）
の界面活性剤を使用した。
【００５５】
＜評価＞
各実施例及び比較例のインクについて、(1)蒸発試験後染料析出試験、(2)低温保存後染料析出試験、(3)初期導入性試験、及び(4)ブリーディング評価を次のように行った。これらの結果を表１、表２に示す。
【００５６】
(1)蒸発試験後染料析出試験
インクを２４ｍＬのガラス容器（規格瓶Ｎｏ．２）に１０ｇ程度採取し、蓋は開放として、温度６０℃、湿度４０％の環境下に３日以上放置し、水分をほぼ完全に（インクの重量変化がなくなるまで）蒸発させた後、常温（約２０℃）で１週間以上放置し、蒸発後の液体の状態を観察し、以下の基準で評価した。
【００５７】
ランク    評価基準
◎：  水分蒸発後のインク液中に固形物（染料）が全く生じなかった場合
〇：  水分蒸発後のインク液中に固形物（染料）が極僅か生じた場合
△：  水分蒸発後のインク液中に固形物（染料）の沈澱が少量生じた場合
×：  水分蒸発後のインク液中に固形物（染料）の沈澱が多量に生じた場合
【００５８】
(2)低温保存後染料析出試験
インクを１７０ｍＬのガラス容器（規格瓶Ｎｏ．１２）に１００ｇ程度採取し、蓋をした状態で−２０℃の恒温槽に放置した。１週間後、恒温槽内からガラス容器を常温（約２０℃）に取り出し、インクが溶解する様子を観察し、以下の基準で評価した。
【００５９】
ランク    評価基準
◎：  インク溶解直後のガラス容器の底に固形物（染料）が全く生じなかった場合
〇：  インク溶解直後のガラス容器の底に固形物（染料）が極僅か生じた場合
△：  インク溶解直後のガラス容器の底に固形物（染料）が少量生じた場合
×：  インク溶解直後のガラス容器の底に固形物（染料）が多量に生じた場合
【００６０】
(3)初期導入性試験
インクを耐圧ガラス容器に入れ、超音波を照射しながら、真空ポンプを使用してインク容器中を真空状態とし、インク中に含有された気体を脱気し、脱気後のインクを用いて、ブラザー工業株式会社製インクジェットプリンタ搭載デジタル複合機ＭＦＣ３１００Ｃにて初期導入性試験の評価を行った。即ち、インクカートリッジ交換後にパージ（プリンタ本体のポンプによるインクの吸引）を３回行った直後に、印字試験を行い、全ノズル数に対する吐出ノズルの割合を求め、以下の基準で評価した。
【００６１】
ランク    評価基準
◎：  全ノズル数に対する吐出ノズルの割合が１００％であった場合
〇：  全ノズル数に対する吐出ノズルの割合が９０％以上１００％未満であった場合
△：  全ノズル数に対する吐出ノズルの割合が８０％以上９０％未満であった場合
×：  全ノズル数に対する吐出ノズルの割合が８０％未満であった場合
【００６２】
(4)ブリーディング評価
黒色及び黄色がそれぞれ背景色となるように色を組み合わせた画像をプリントし、色の混ざり合う境界面の滲み及び文字の判別性を評価した。評価対照は、各インクとも背景無しでプリントした文字とした。前記文字は、フォントサイズ１１ポイントに設定し、ブラザー工業株式会社製インクジェットプリンタ搭載デジタル複合機ＭＦＣ３１００Ｃを用いて記録紙（普通紙（Ｘｅｒｏｘ４２００）、ゼロック社）にプリントした。黒色インクは表３の組成のものを使用した。また、評価は、背景有りの文字が背景無しの文字と比較して、どの程度滲んでいるのかを目視にて観察し、以下の基準で評価した。
【００６３】
ランク    評価基準
〇：  背景なしの文字と比較して僅かな滲みが発生しているが、文字は十分に判別できた場合
×：  背景なしの文字と比較して著しく滲みが発生し、文字の判読が困難だった場合
【００６４】
【表１】
2006028490.tif 000007
【００６５】
【表２】
2006028490.tif 000008
【００６６】
【表３】
2006028490.tif 000009
【００６７】
表１及び表２の結果から、実施例１〜９のインクでは(1)蒸発試験後染料析出試験、(2)低温保存後染料析出試験、(3)初期導入性試験、(4)ブリーディング評価のいずれにおいても良好であり、特に[Ｂ／Ａ]が０.３以上であると、低温保存後染料析出試験において、インクから固形物が全く析出せず、また、[Ｃ／Ａ]が４以上であると、蒸発試験後染料析出試験においてインクから固形物が全く析出せず、良好な結果を得られたが、比較例１〜５のインクにおいては、[Ｂ／Ａ]が０．２に満たない比較例１、２、５では低温保存後染料析出試験の結果が劣り、[Ｃ／Ａ]が３に満たない比較例１、３、４では蒸発試験後染料析出試験の結果が劣ることがわかる。また、インク中のグリコールエーテル（成分（ｂ））の含有量が１０重量％を超える比較例６、及びインク中の水溶性有機溶剤（成分（ｃ））の含有量が４０重量％を超える比較例７で得られたインクでは、ブリーディング評価の結果が劣っていることがわかる。したがって、本発明の実施例のインクによれば、インクの水分蒸発時や低温時などにおいて、インク中から染料等の異物が発生せず、良好な長期保存性を実現でき、また、ブリーディングが抑制されることがわかる。
【００６８】
また、実施例４及び７と他の実施例を比較することにより、式（１）の界面活性剤の添加により初期導入試験の結果を向上させられることがわかる。
【産業上の利用可能性】
【００６９】
本発明のインクジェット記録用水性インクは、着色剤としてＣ．Ｉ．ダイレクトイエロー１３２を含有する、長期保存安定性の優れたインクジェット記録用水性インクとして有用である。特に、本発明のインクジェット記録用水性インクは、インクジェットプリンタにとって劣悪な使用環境であると考えられている高温地域、乾燥地域、寒冷地域という環境変化や、インク輸送時や保管時の温度変化にもかかわらず、Ｃ．Ｉ．ダイレクトイエロー１３２を含有するインクの安定な使用を実現することができる。